(57)【特許請求の範囲】
【請求項１】
紙幣を入出金する紙幣入出金部と、
紙幣を判別する判別部と、
紙幣を収納する紙幣収納部と、
これらの各部間で紙幣を搬送する紙幣搬送路と、
制御処理を実行する制御部と、
前記判別部で紙幣判別用に紙幣から取得した紙幣情報を記憶する第１記憶部及び第２記憶部と、
利用者を識別可能な識別情報を入力許容する入力部を備え、
前記制御部を、
利用者による取引処理にて前記判別部で紙幣を判別する際に前記紙幣情報の一部を用いた高速判別である第１の紙幣判別を行う第１紙幣判別処理と、
前記取引処理とは別に前記紙幣について前記紙幣情報を用いて前記第１紙幣判別処理より詳細な判別である第２の紙幣判別を行う第２紙幣判別処理とを実行する構成とし、
前記入力部で入力された識別情報と前記紙幣情報を対応付けて前記第１記憶部に記憶する紙幣取扱装置であって、
取引から外す紙幣を収納するリジェクト庫をさらに備え、
前記制御部は、
前記入出金部に入金された紙幣を前記紙幣収納部に収納する入金取引の際に、前記第１紙幣判別処理を行って真と判定した紙幣を前記紙幣収納部へ収納し、
収納後に前記第１記憶部に記憶されている紙幣情報を用いて第２紙幣判別処理を行い、
この第２紙幣判別処理で真ではない又は疑わしいと判定した紙幣の紙幣情報を疑惑紙幣情報として前記識別情報に対応させて前記第２記憶部に記憶する構成であると共に、
前記紙幣収納部から前記入出金部へ紙幣を出金する出金取引の際に、前記疑惑紙幣情報と一致する紙幣が前記紙幣収納部から繰り出されたか否か前記紙幣判別部で判別し、疑惑紙幣情報と一致すると判別した紙幣を前記リジェクト庫へ搬送して取引から排除する構成にした
紙幣取扱装置。
【請求項２】
前記取引から排除した際に前記疑惑紙幣情報と前記識別情報を対応づけて上位装置へ送信する送信手段を備えた
請求項１記載の紙幣取扱装置。
【請求項３】
請求項２記載の紙幣取扱装置と、
係員が利用する係員画面を表示する表示手段を備え、
前記制御部を、前記紙幣収納部に前記疑惑紙幣が収納されている状態であることを前記係員画面に表示する構成にした
現金自動取引装置。
【請求項４】
前記制御部を、紙幣収納庫に入っている前記疑惑紙幣の記番号を前記係員画面に表示する構成にした
請求項３記載の現金自動取引装置。
【請求項５】
請求項２に記載の紙幣取扱装置を備え、
前記制御部を、
前記識別情報と前記紙幣情報から紙幣の利用者を特定できる紙幣利用者特定処理を実行する構成にした
現金自動取引装置。
【発明の詳細な説明】
【技術分野】
【０００１】
この発明は、例えば現金を取り扱う現金自動取引装置に関し、特に、紙幣の利用者を特定する機能を備えているような紙幣取扱装置および現金自動取引装置に関する。
【背景技術】
【０００２】
従来、判別部で真でない又は疑わしいと判別された紙幣について、その紙幣の情報と利用者の個人情報（例えば口座番号）とを対応付けて記憶装置に記憶し、その紙幣の利用者を後で追跡できるシステムが提案されている。  
近年、偽券のレベルも上がり、高速で紙幣を搬送している間に、真でない又は疑わしいと判別することが困難になりつつある。
【０００３】
これに対応して、紙幣を搬送する速度を取引時より遅くして、真でない又は疑わしいと判別する方法が提案されている（特許文献１参照）。
【０００４】
この特許文献に記載の技術では、真でない又は疑わしい紙幣の搬送速度を遅くして再度判別を行うため、取引時間が延びるというデメリットがある。
【０００５】
【特許文献１】特開２００４−２９５７８２号公報
【発明の開示】
【発明が解決しようとする課題】
【０００６】
この発明は、上述した問題に鑑み、搬送速度を遅くして再度判別を行うために取引時間が延びるといったことを防止できると共に、疑わしい紙幣を抽出して取引から排除でき、他の利用者の手に渡ることを防ぐことができる紙幣取扱装置および現金自動取引装置を提供することを目的とする。
【課題を解決するための手段】
【０００７】
この発明は、紙幣を入出金する紙幣入出金部と、紙幣を判別する判別部と、紙幣を収納する紙幣収納部と、これらの各部間で紙幣を搬送する紙幣搬送路と、制御処理を実行する制御部と、前記判別部で紙幣判別用に紙幣から取得した紙幣情報を記憶する第１記憶部及び第２記憶部と、利用者を識別可能な識別情報を入力許容する入力部を備え、前記制御部を、利用者による取引処理にて前記判別部で紙幣を判別する際に前記紙幣情報の一部を用いた高速判別である第１の紙幣判別を行う第１紙幣判別処理と、前記取引処理とは別に前記紙幣について前記紙幣情報を用いて前記第１紙幣判別処理より詳細な判別である第２の紙幣判別を行う第２紙幣判別処理とを実行する構成とし、前記入力部で入力された識別情報と前記紙幣情報を対応付けて前記第１記憶部に記憶する紙幣取扱装置であって、取引から外す紙幣を収納するリジェクト庫をさらに備え、前記制御部は、前記入出金部に入金された紙幣を前記紙幣収納部に収納する入金取引の際に、前記第１紙幣判別処理を行って真と判定した紙幣を前記紙幣収納部へ収納し、収納後に前記第１記憶部に記憶されている紙幣情報を用いて第２紙幣判別処理を行い、この第２紙幣判別処理で真ではない又は疑わしいと判定した紙幣の紙幣情報を疑惑紙幣情報として前記識別情報に対応させて前記第２記憶部に記憶する構成であると共に、前記紙幣収納部から前記入出金部へ紙幣を出金する出金取引の際に、前記疑惑紙幣情報と一致する紙幣が前記紙幣収納部から繰り出されたか否か前記紙幣判別部で判別し、疑惑紙幣情報と一致すると判別した紙幣を前記リジェクト庫へ搬送して取引から排除する構成にした紙幣取扱装置であることを特徴とする。
【０００８】
前記取引から排除した際に前記疑惑紙幣情報と前記識別情報を対応づけて上位装置へ送信する送信手段を備えることもできる。
【発明の効果】
【０００９】
この発明により、搬送速度を遅くして再度判別を行うために取引時間が延びるといったことを防止できると共に、一度詳細判別を行えば、高度な演算処理を再度行わずとも疑惑紙幣を抽出して取引から排除でき、他の利用者の手に渡ることを防ぐことができる紙幣取扱装置および現金自動取引装置を提供することができる。
【発明を実施するための最良の形態】
【００１０】
この発明の一実施形態を以下図面と共に説明する。  
図１は本発明の実施形態にかかる紙幣取扱装置１０４を示す構成図である。この図において、１は入出金部である。２は装置内の各部位に紙幣を搬送する搬送路である。３は紙幣の金種、真偽、種類、状態を判別し、紙幣の固有情報を読み取る判別部である。この判別部３で読取る紙幣の固有情報は、紙幣を特定するためのものである。４は紙幣を一時的に保管する一時保管庫である。５はリジェクト紙幣を収納するためのリジェクト庫である。このリジェクト庫５は取引中はリジェクト庫として使用するが、紙幣を各収納庫に装填したり、装置内の紙幣を回収するための装填回収庫としても使用する。６は紙幣の通過を検知する通過センサである。７は紙幣の搬送方向を切り換えるゲートである。８と９は紙幣を収納する収納庫である。
【００１１】
この紙幣取扱装置１０４を用いた紙幣の取引処理の一つである入金取引の動作概要を説明する。  
入金取引を実行する紙幣取扱装置１０４は、利用者により入出金部１に紙幣が投入されると、入出金部１により紙幣を１枚ずつ分離して搬送路２上に繰り出す。紙幣取扱装置１０４は、判別部３で紙幣の金種、真偽、状態等を判定し、紙幣の収納先を決定する。
【００１２】
紙幣取扱装置１０４は、真である紙幣（以下、真紙幣という）を一時保管庫４に入れる。また、紙幣取扱装置１０４は、真でない又は疑わしい紙幣も一時保管庫４に入れる。紙幣取扱装置１０４は、これら以外の金種がわからない紙幣や、寸法が異常な紙幣など、一時保管庫４に入れられない紙幣を、リジェクト紙幣として入出金部１に戻し、利用者に返却する。
【００１３】
紙幣取扱装置１０４は、一時保管庫４に入れた紙幣を収納するため、紙幣を一時保管庫４から再び搬送路２上に繰り出す。紙幣取扱装置１０４は、搬送路２上の通過センサ６で紙幣を監視し、収納先に従いゲート７を切り替える。紙幣取扱装置１０４は、紙幣収納部としての収納庫９に入れる紙幣であると判別部３で判定した紙幣を収納庫９に収納し、紙幣収納部としての収納庫８に入れる紙幣であると判別部３で判定した紙幣を収納庫８に収納し、リジェクト紙幣であると判別部３で判定した紙幣をリジェクト庫５に収納する。
【００１４】
図２は現金自動取引装置１０３と紙幣取扱装置１０４により構成される金融システムの制御ブロック図である。  
１０１は現金自動取引装置の上位装置であり、取引情報の送受信を行うホストコンピュータである。１０２はサーバであり、ホストコンピュータと同じ機能を有している。１０３は現金自動取引装置である。
【００１５】
１０４は紙幣取扱装置であり紙幣の搬送を制御する。３は紙幣の金種、真偽、種類、状態を判別し、紙幣の固有情報を読み取る判別部である。この固有情報は、紙幣を特定するためのものであり、紙幣の特徴を示す特徴データ、あるいは記番号など、適宜のデータで構成することができる。
【００１６】
１０６，１０７は情報を記憶する判別部記憶装置である。この判別部記憶装置１０６，１０７は、紙幣の画像情報、紙幣を特定するための固有情報、および、紙幣の情報と関連付ける為の利用者の識別情報としての口座番号などを記憶する。１０８は通帳を取り扱う通帳取扱装置である。
【００１７】
１０９は取引明細票を発行する明細票発行装置である。１１０は磁気ストライプカードやＩＣカードを取り扱うカード取扱装置である。１１１は入力部および表示手段としての操作表示部である。この操作表示部１１１は、利用者、係員、保守員によるタッチパネルの操作を受け付け、また、操作の為の画面を表示する。
【００１８】
１１２はプログラムや情報を記憶する本体制御部記憶装置である。この本体制御部記憶装置１１２は、プログラムや、利用者を特定するための紙幣の画像及び固有情報、カードデータ等を記憶する。１１３は現金自動取引装置全体の制御を行う本体制御部である。
【００１９】
図３は紙幣取扱装置１０４を搭載する現金自動取引装置１０３を示す斜視図である。現金自動取引装置１０３は、通帳を取り扱う通帳処理機構２０１、利用者が操作を行う操作表示部１１１、紙幣を入出金する紙幣取扱装置１０４、磁気ストライプカードやＩＣカードを取り扱うカード取扱機構２０５、明細票を発行する明細票発行機構２０６、これらを制御する本体制御部１１３で構成される。また、現金自動取引装置１０３は、通信回線でホストコンピュータ１０１やサーバ１０２と接続され取引情報などの送受信を行う。
【００２０】
図４は、利用者が紙幣を入金した時の搬送状態と記憶している情報を説明する説明図である。  
１０は利用者が紙幣を投入するホッパである。１１は判別部３がリジェクトと判定した紙幣が戻ってくるリジェクトスタッカである。このホッパ１０とリジェクトスタッカ１１は、入出金部１内に設けられている。
【００２１】
現金自動取引装置１０３は、利用者によりホッパ１０に投入された紙幣を、ホッパ１０から搬送路２へ繰り出し、搬送路２で搬送して判別部３に通過させた後に一時保管庫４へ収納する。このとき、判別部３は、通過する紙幣ごとに紙幣から画像情報を読取り、第１紙幣判別処理として第１レベルの判別処理（高速判別処理）を行う。この第１レベルの判別処理は、画像情報の一部を用いて行う。
【００２２】
ここで画像情報の一部とは、画像情報をぼかした情報（例えば解像度を落として情報量を減らした情報）、あるいは画像情報を間引いた情報など、適宜の方法により情報量を少なくした情報をいう。
【００２３】
現金自動取引装置１０３は、読取った紙幣画像情報と、利用者の口座番号と、紙幣の固有情報である紙幣固有情報とを、第１記憶部としての判別部記憶装置１０６に記憶する。この紙幣画像情報および紙幣固有情報により紙幣情報が構成されている。
【００２４】
ここで、画像情報は、金種、真偽、種類、状態を判別するためものである。また、固有情報は、紙幣を特定するためのものである。また、口座番号は、現金自動取引装置１０３のカード取扱機構２０５に投入されたカードから、カード取扱装置１１０が読取ったものである。
【００２５】
判別部記憶装置１０６に記憶した紙幣情報の中で、真でない又は疑わしい紙幣（以下、疑惑紙幣という）の情報は、判別部３が本体制御部１１３に報告し、本体制御部１１３が本体制御部記憶装置１１２内に記憶する。このとき報告する判別部３は、送信手段として機能する。
【００２６】
図５は、入金された紙幣を収納庫８およびリジェクト庫５に入れた時の搬送状態と記憶している情報を説明する説明図である。  
現金自動取引装置１０３は、一時保管庫４から紙幣を繰り出し、疑惑紙幣をリジェクト庫５に入れ、次の取引から出金できる紙幣（真紙幣）を収納庫８に入れる。このとき、判別部記憶装置１０６内の情報のうち、本体制御部１１３に報告し終えた疑惑紙幣の情報は消去する。本体制御部１１３に報告しなかった情報、すなわち入金時に真と判定した紙幣の情報は、判別部記憶装置１０７に移動する。そして、この移動した紙幣の情報を、判別部記憶装置１０６から消去する。
【００２７】
図６は、待機中に判別部記憶装置１０７内の紙幣画像情報を使って再度判別処理（詳細判別処理）を行った後に記憶している情報を示す説明図である。  
現金自動取引装置１０３は、図５で判別部記憶装置１０７内に記憶していた情報を使って、第２紙幣判別処理として第２レベルの詳細判別処理を行う。この詳細判別処理は、入金した時に行った第１レベルの判別とは異なり、第１レベルの判別よりも時間をかけて、高度な演算を使って高精度な判別を行う。例えば、第１紙幣判別処理のようにぼかしたり間引いたりせず、第１紙幣判別処理よりも多い情報を用いて詳細に判別する。
【００２８】
この詳細判別処理により、判別部記憶装置１０７内の紙幣画像情報から疑惑紙幣を検出した場合、その紙幣の情報を本体制御部１１３に報告し、本体制御部記憶装置１１２内に記憶する。
【００２９】
このとき、詳細判別処理にて発見した疑惑紙幣の情報は、判別部記憶装置１０７内から消去しない。詳細判別処理にて真であると判別した紙幣の情報は、判別部記憶装置１０７から消去する。  
なお、この詳細判別処理は、取引処理よりも優先度が低いタスクとして設定されている。
【００３０】
図７は、図６で収納庫８内に疑惑紙幣が入っている場合に表示する画面を示す画面構成図である。  
現金自動取引装置１０３は、係員又は保守員によって作業される際（例えば開局作業時など）、収納庫８に疑惑紙幣が入っている状態であることを、操作表示部１１１に表示する係員画面に表示し、係員又は保守員に知らせる。これにより、現金自動取引装置１０３は、収納庫８から真紙幣といっしょに疑惑紙幣を抜き取ってしまわないように係員又は保守員に注意を促す。この係員画面は、疑惑紙幣の記番号を表示する構成であってもよい。このように疑惑紙幣の記番号を表示した場合、係員が手動で該当する疑惑紙幣を抜き取ることが可能になる。
【００３１】
図８は、収納庫８に入っている疑惑紙幣の位置と判別部記憶装置１０７の紙幣情報の順番を示す説明図である。  
収納庫８の中では、紙幣ａの入った時期が一番古く、紙幣ｃの入った時期が一番新しい。また、判別部記憶装置１０７に記憶している紙幣情報は、紙幣ａの紙幣情報が一番古く、紙幣ｃの紙幣情報が一番新しい。収納庫８から出て行く紙幣は、紙幣ｃが先で紙幣ａは後であるから、判別部記憶装置１０７の紙幣情報は、入った順番が新しい紙幣ｃから判別処理を行う。
【００３２】
図９は、出金できる枚数の表示を示す出金枚数表示画面の画面構成説明図である。  
収納庫８又は収納庫９に紙幣を入れた直後は、詳細判別していない紙幣が収納庫８，９の出口にある状態なので、出金できない。判別部３による詳細判別が１枚ずつ終わる度に、出金できる紙幣の枚数を判別部３が本体制御部１１３に報告し、取引開始の表示に出金可能枚数を表示させる。利用者は表示が出金したい枚数を超えるまで待つか、表示されている枚数の中で出金を行う。
【００３３】
図１０は、入金取引時の動作を示すフローチャートである。  
利用者によって操作表示部１１１が操作され、入金取引が選択されると、本体制御部１１３は、入金取引を開始する（ステップ１００１）。
【００３４】
本体制御部１１３は、カード取扱装置１１０で利用者のカードから口座番号を読み取る（ステップ１００２）。そして、本体制御部１１３は、読取った口座番号を判別部３に連絡する（ステップ１００３）。
【００３５】
本体制御部１１３は、紙幣情報を覚えておく判別部記憶装置１０６を初期化するように、判別部３に指示する（ステップ１００４）。本体制御部１１３は、紙幣取扱装置１０４に対して、利用者に入金された紙幣を入出金部１から搬送路２へ供給するよう指示を出す。紙幣取扱装置１０４は、入手金部１から、搬送路２へ紙幣を供給する（ステップ１００５）。
【００３６】
判別部３は、搬送路２を通って判別部３に通過した紙幣を第１レベルで判別する（ステップ１００６）。紙幣取扱装置１０４は、入金できない紙幣をリジェクトして入出金部１に戻し、疑惑紙幣と真紙幣を一時保管庫４に入れる（ステップ１００７）。
【００３７】
本体制御部１１３は、疑惑紙幣および真紙幣の画像情報と固有情報を、利用者の口座番号と関連付けて、判別部記憶装置１０６に記憶する（ステップ１００８）。
【００３８】
本体制御部１１３は、入出金部１のホッパ１０内の紙幣が無くなるまで、ステップ１００５からステップ１００９を繰り返す（ステップ１００９）。ホッパ１０内の紙幣が無くなった後、本体制御部１１３は、疑惑紙幣があったか判別部３に問い合わせる（ステップ１０１０）。
【００３９】
一時保管庫４に疑惑紙幣と真紙幣が入っている場合、本体制御部１１３は、判別部記憶装置１０６内に蓄積した疑惑紙幣の口座番号、紙幣画像情報、および紙幣固有情報を判別部３に報告させ、報告された情報を本体制御部記憶装置１１２に記憶する（ステップ１０１１）。この時点で、図４に示した状態になる。
【００４０】
判別部３は、本体制御部１１３に報告し終えた情報を判別部記憶装置１０６から消去する（ステップ１０１２）。判別部３は、判別部記憶装置１０６に残っている紙幣情報のうち、入金時に真と判定した真紙幣の口座番号、紙幣画像情報、および紙幣固有情報を判別部記憶装置１０７に移動する（ステップ１０１３）。この時点で、図５に示した状態になる。
【００４１】
紙幣取扱装置１０４は、一時保管庫４にある紙幣を搬送路２へ繰り出し、疑惑紙幣をリジェクト庫５へ入れ、真紙幣を収納庫８又は収納庫９へ入れる（ステップ１０１４）。
【００４２】
図１１は、詳細判別時の動作を示すフローチャートである。  
利用者が入金取引を終えた後、判別部記憶装置１０７に情報があると、判別部３は、紙幣画像情報を使って再度判別を行う（ステップ１１０１）。このとき行う判別は、第２レベルの詳細判別である。
【００４３】
判別部記憶装置１０７に複数の情報がある場合、時間的に新しい方の紙幣から第２レベルの判別となる詳細判別処理を行う（ステップ１１０２）。この詳細判別処理は、第１レベルの判別を終えている紙幣について再度判別するものであるから、再判別処理ということができる。
【００４４】
入金時に真と判定したが、収納庫８又は収納庫９に入れた後に、ステップ１１０２で疑惑紙幣と判別した場合（ステップ１１０３：Ｙ）、判別部３は、本体制御部１１３に利用者の口座番号と、紙幣の紙幣情報としての画像情報および固有情報を報告する。このとき、紙幣の利用者追跡用のデータとして、利用者の口座番号および前記紙幣情報を本体制御部記憶装置１１２に記憶する（ステップ１１０４）。
【００４５】
なお、この本体制御部記憶装置１１２に記憶された利用者の口座番号および紙幣情報により、疑惑紙幣の利用者を特定することができる。この特定を行う紙幣利用者特定処理は、紙幣情報に含まれている固有情報を参照して紙幣を特定し、この紙幣を利用した利用者を口座番号により特定するとよい。
【００４６】
判別部３は、収納庫８又は収納庫９に疑惑紙幣があることを係員／保守画面に知らせるように本体制御部１１３に依頼し、本体制御部１１３は、収納庫８又は収納庫９に疑惑紙幣があることを操作表示部１１１に表示する（ステップ１１０５）。
【００４７】
判別部３は、収納庫８又は収納庫９に入れた後にも真と判定した紙幣の情報を（ステップ１１０３：Ｎ）、判別部記憶装置１０７から消去する（ステップ１１０６）。この時点で、図６に示した状態になる。判別部３は、１枚１枚詳細判別処理が終了する度に、本体制御部１１３に詳細判別処理の終了を報告する。このとき、本体制御部１１３は、利用者が操作する操作表示部１１１の出金可能枚数表示を更新する（ステップ１１０７）。
【００４８】
収納庫８又は収納庫９に入れた紙幣が複数あり、詳細判別（再判別）を行う必要がある紙幣情報が判別部記憶装置１０７に残っていても、次の利用者が取引を始めた場合（ステップＳ１１０８：Ｙ）、詳細判別処理を中断して、取引を優先させる。
【００４９】
ここで、詳細判別処理は、ステップ１１０２により収納庫の出口に近い紙幣から行う。収納庫８又は収納庫９から紙幣を出金する際に、まだ詳細判別処理が終了していない紙幣については、出金しないのが望ましい。このため、例えば詳細判別処理が終了していない紙幣を、詳細判別が終了する度に出金する方法も可能である。
【００５０】
取引が終了した後、再度ステップ１１０１から処理を再開する。そして、判別部記憶装置１０７に詳細判別していない紙幣情報がある限り、詳細判別の処理を行う（ステップ１１０９：Ｙ）。
【００５１】
なお、入金取引が多い場合、判別部記憶装置１０７には大量の紙幣情報が溜まる。このため、判別部記憶装置１０７は、記憶容量が大きく不揮発性の記憶装置とすることが望ましい。
【００５２】
図１２は、取引処理の一つである出金取引時の動作を示すフローチャートである。  
本体制御部１１３は、利用者による操作表示部１１１の操作を許容し、出金取引の開始を受け付ける（ステップ１２０１）。
【００５３】
本体制御部１１３は、利用者に指定された出金枚数に従い、収納庫８又は収納庫９から紙幣を出すよう紙幣取扱装置１０４に指示を出す。紙幣取扱装置１０４は、この指示を受けて、収納庫８又は収納庫９から紙幣を１枚ずつ繰り出す（ステップ１２０２）。
【００５４】
判別部３は、通過する紙幣の判別処理を行い、紙幣の記番号や特徴などの固有情報を読み出す（ステップ１２０３）。そして、判別部３は、読み出した固有情報と同じものが判別部記憶装置１０７内にあるか検索する。（ステップ１２０４）。
【００５５】
同じ固有情報が判別部記憶装置１０７内に存在した場合、この紙幣は収納庫内での詳細判別にて疑惑紙幣と判定されたものである。このため、本体制御部１１３は、この紙幣を取引から排除し、搬送路２により一時保管庫４に入れる（ステップ１２０５）。  
本体制御部１１３は、収納庫に存在しなくなった疑惑紙幣の情報を判別部記憶装置１０７から消去する（ステップ１２０６）。このとき、紙幣の利用者を特定するために蓄積している情報に当該疑惑紙幣の画像情報を追加することが好ましい。この情報は、該当紙幣の利用者を特定する場合に利用できる。
【００５６】
固有情報が判別部記憶装置１０７内に存在しなかった場合、この紙幣は収納庫内での詳細判別でも真であると判定した紙幣である。このため、本体制御部１１３は、この紙幣を搬送路２により入出金部１に搬送する（ステップ１２０７）。
【００５７】
収納庫８又は収納庫９から必要枚数繰り出すまでステップ１２０３に処理を戻す（ステップ１２０８：Ｎ）。必要枚数繰り出すと（ステップ１２０８：Ｙ）、紙幣取扱装置１０４は、利用者が指定した分の紙幣を入出金部１から利用者に渡す（ステップ１２０９）。
【００５８】
本体制御部１１３は、一時保管庫４に紙幣が入っていなければ（ステップ１２１０：Ｎ）、処理を終了する。本体制御部１１３は、一時保管庫４に紙幣が入っていれば（ステップ１２１０：Ｙ）、一時保管庫４に入っている紙幣をリジェクト庫５へ収納する（ステップ１２１１）。この一時保管庫４に入っていた紙幣は、収納庫から繰り出したが取引から排除された紙幣である。  
本体制御部１１３は、操作表示部１１１に表示している係員／保守画面のうち、収納庫に疑惑紙幣があることを示す表示を消去する（ステップ１２１２）。
【００５９】
以上の構成および動作により、紙幣収納庫８，９に入っている紙幣の中から、入金取引中に見逃した疑惑紙幣を検出し、その紙幣の利用者を特定する情報を追加で蓄積でき、後の取引で疑惑紙幣を第三者（疑惑紙幣を入金したのとは違う利用者）に渡さない現金自動取引装置１０３を提供することができる。
【００６０】
また、詳細判別処理を、入金取引や出金取引といった取引処理を実行していない空き時間に行う構成とした。このため、取引処理の際に第１レベルの高速判別にて短時間に処理を行い、取引処理の完了後に時間をかけて詳細な判別処理を行うことができる。従って、疑惑紙幣の発見精度向上と、取引処理の短時間化という相反する課題を両立させることができる。
【００６１】
また、詳細判別処理で疑惑紙幣を発見した場合、その疑惑紙幣の紙幣情報と共に、当該疑惑紙幣を入金した利用者の利用者情報（この実施例では利用者の口座情報）を取得できるため、疑惑紙幣の入金者を特定することができる。従って、疑惑紙幣発見後に当該疑惑紙幣の利用者を追跡でき、対策をとることができる。
【００６２】
また、第１レベルの判別処理では、詳細な紙幣情報を取得した上で、その一部の情報を用いた高速判別を行い、第２レベルの判別処理である詳細判別処理では、物理的な再読取を行わずに既に上記第１レベルの判別処理で取得した紙幣画像を再利用して詳細に判別する構成とした。このため、詳細判別のために紙幣を再度搬送して判別部３に通過させる制御や時間が必要がなく、搬送制御を簡潔にでき、再判別（詳細判別）に要する時間を短縮できる。
【００６３】
また、このように演算処理のみで詳細判別処理を実行できるため、通常の取引処理を妨げずに現金自動取引装置１０３の空き時間を利用して詳細判別を行うことができる。
【００６４】
また、紙幣収納庫８，９に紙幣を入れてから、次に紙幣を出すまでの時間で詳細判別を行えるため、高速で搬送する通常取引中では処理時間が足りなくなるような高度な演算を行うことが可能になる。これにより、取引中に見逃した疑惑紙幣を検出できる。
【００６５】
また、紙幣収納庫８，９内で検出した疑惑紙幣の固有情報を記憶しているため、紙幣を紙幣収納庫８，９から出した後、紙幣の固有情報を判別部３で判別し、記憶している疑惑紙幣の固有情報と比較することで疑惑紙幣か否か判別できる。これにより、一度詳細判別を行えば、高度な演算処理を再度行わずとも疑惑紙幣を抽出して取引から排除でき、他の利用者の手に渡ることを防ぐことができる。
【００６６】
また、疑惑紙幣を取引から排除した際に、紙幣の利用者を特定するために蓄積している情報に当該疑惑紙幣の画像情報を追加できる。  
また、入金された時に疑惑紙幣と真紙幣を分けて入れておく特別な機構が必要なく、装置全体を簡潔に安価に構成することができる。
【００６７】
また、取引処理中に使用する判別部記憶装置１０６と、疑惑紙幣の紙幣情報を記憶する判別部記憶装置１０６とを別個の記憶装置で構成したことにより、情報管理の確実性を高めることができる。
【００６８】
なお、この発明は、上述の実施形態の構成のみに限定されるものではなく、多くの実施の形態を得ることができる。  
例えば、上述した実施例では、現金自動取引装置１０３内の本体制御部１１３が第１レベルの判別処理および第２レベルの判別処理を実行制御する構成としたが、紙幣取扱装置１０４内に別個の制御部を備え、該制御部が第１レベルの判別処理および第２レベルの判別処理を実行制御する構成にしてもよい。
【００６９】
また、疑惑紙幣の紙幣情報と該疑惑紙幣を利用した利用者の口座番号は、本体制御部１１３からホストコンピュータ１０１やサーバ１０２へ送信する構成にしてもよい。これにより、上位装置であるホストコンピュータ１０１やサーバ１０２にて、疑惑紙幣の利用者を特定することが可能になる。
【図面の簡単な説明】
【００７０】
【図１】紙幣取扱装置の構成図。
【図２】現金自動取引装置と紙幣取扱装置のブロック図。
【図３】現金自動取引装置の斜視図。
【図４】利用者が紙幣を入金した時の説明図。
【図５】入金された紙幣を収納庫およびリジェクト庫に入れた時の説明図。
【図６】再度判別処理を行った際の説明図。
【図７】収納庫８内に疑惑紙幣が入っている場合の表示画面の画面構成図。
【図８】収納庫８内の疑惑紙幣の位置と紙幣情報の順番を示す説明図。
【図９】出金枚数表示画面の画面構成説明図。
【図１０】入金取引時の動作を示すフローチャート。
【図１１】詳細判別時の動作を示すフローチャート。
【図１２】取引処理の一つである出金取引時の動作を示すフローチャート。
【符号の説明】
【００７１】
１…入出金部、２…搬送路、３…判別部、５…リジェクト庫、８，９…収納庫、１０３…現金自動取引装置、１０４…紙幣取扱装置、１０６…判別部記憶装置、１０７…判別部記憶装置、１１１…操作表示部、１１３…本体制御部
【図１】
0005111060.tif 000002
【図２】
0005111060.tif 000003
【図３】
0005111060.tif 000004
【図４】
0005111060.tif 000005
【図５】
0005111060.tif 000006
【図６】
0005111060.tif 000007
【図７】
0005111060.tif 000008
【図８】
0005111060.tif 000009
【図９】
0005111060.tif 000010
【図１０】
0005111060.tif 000011
【図１１】
0005111060.tif 000012
【図１２】
0005111060.tif 000013